(57)【特許請求の範囲】
【請求項１】
基地局との間で通信信号の送受信を行う移動通信端末において、
加入者情報が格納されたＵＩＭを有する第１のＩＣチップと、
電子バリューに関する情報を格納した第２のＩＣチップと、を備え、
前記ＵＩＭは、ユーザの認証を行うと共に当該認証がなされた場合に利用可能になり、
前記第２のＩＣチップは、前記ＵＩＭにおいてユーザの認証が行われた場合に、前記電子バリューに関する情報を外部へ出力可能な状態になり、
前記第２のＩＣチップは、ユーザに対して一定時間毎に認証を要求し、
前記認証の要求がなされた場合は、ユーザの認証がなされるまで前記第２のＩＣチップは前記電子バリューに関する情報を外部へ出力しないことを特徴とする移動通信端末。
【請求項２】
基地局との間で通信信号の送受信を行う移動通信端末において、
加入者情報が格納されたＵＩＭを有する第１のＩＣチップと、
電子バリューに関する情報を格納した第２のＩＣチップと、を備え、
前記ＵＩＭは、ユーザの認証を行うと共に当該認証がなされた場合に利用可能になり、
前記第２のＩＣチップは、前記ＵＩＭにおいてユーザの認証が行われた場合に、前記電子バリューに関する情報を外部へ出力可能な状態になり、
前記第２のＩＣチップは、前記電子バリューに関する情報を出力可能な起動状態になってから所定時間が経過した際に、その情報を出力不能な停止状態になり、前記停止状態になった場合、ユーザの認証がなされることで前記起動状態に移行することを特徴とする移動通信端末。
【請求項３】
基地局との間で通信信号の送受信を行う移動通信端末において、
加入者情報が格納されたＵＩＭを有する第１のＩＣチップと、
電子バリューに関する情報を格納した第２のＩＣチップと、を備え、
前記ＵＩＭは、ユーザの認証を行うと共に当該認証がなされた場合に利用可能になり、
前記第２のＩＣチップは、前記ＵＩＭにおいてユーザの認証が行われた場合に、前記電子バリューに関する情報を外部へ出力可能な状態になり、
前記第２のＩＣチップには、前記電子バリューに関する複数のアプリケーションが格納されており、
前記各アプリケーションは、それぞれに定められた時間毎に、使用できない停止状態になり、
前記停止状態となった前記アプリケーションについては、ユーザの認証がなされることで使用できる状態になることを特徴とする移動通信端末。
【請求項４】
前記ＵＩＭには、所定の暗証番号が格納されており、
ユーザが入力した情報と前記暗証番号が一致した場合に、前記ＵＩＭは、ユーザを認証することを特徴とする請求項１〜請求項３のうち何れか一項記載の移動通信端末。
【請求項５】
基地局との間で通信信号の送受信を行う移動通信端末の制御方法において、
前記移動通信端末は、加入者情報が格納されたＵＩＭを有する第１のＩＣチップと、電子バリューに関する情報を格納した第２のＩＣチップと、を備え、
前記ＵＩＭがユーザの認証を行うステップと、
前記ユーザの認証がなされることで前記ＵＩＭが利用可能になるステップと、
前記ＵＩＭにおいてユーザの認証が行われた場合に、前記第２のＩＣチップが、前記電子バリューに関する情報を外部へ出力可能な状態になるステップと、を含み、
前記第２のＩＣチップは、ユーザに対して一定時間毎に認証を要求し、
前記認証の要求がなされた場合は、ユーザの認証がなされるまで前記第２のＩＣチップは前記電子バリューに関する情報を外部へ出力しないことを特徴とする移動通信端末の制御方法。
【請求項６】
基地局との間で通信信号の送受信を行う移動通信端末の制御方法において、
前記移動通信端末は、加入者情報が格納されたＵＩＭを有する第１のＩＣチップと、電子バリューに関する情報を格納した第２のＩＣチップと、を備え、
前記ＵＩＭがユーザの認証を行うステップと、
前記ユーザの認証がなされることで前記ＵＩＭが利用可能になるステップと、
前記ＵＩＭにおいてユーザの認証が行われた場合に、前記第２のＩＣチップが、前記電子バリューに関する情報を外部へ出力可能な状態になるステップと、を含み、
前記第２のＩＣチップは、前記電子バリューに関する情報を出力可能な起動状態になってから所定時間が経過した際に、その情報を出力不能な停止状態になり、
前記停止状態になった場合、ユーザの認証がなされることで前記起動状態に移行することを特徴とする移動通信端末の制御方法。
【請求項７】
基地局との間で通信信号の送受信を行う移動通信端末の制御方法において、
前記移動通信端末は、加入者情報が格納されたＵＩＭを有する第１のＩＣチップと、電子バリューに関する情報を格納した第２のＩＣチップと、を備え、
前記ＵＩＭがユーザの認証を行うステップと、
前記ユーザの認証がなされることで前記ＵＩＭが利用可能になるステップと、
前記ＵＩＭにおいてユーザの認証が行われた場合に、前記第２のＩＣチップが、前記電子バリューに関する情報を外部へ出力可能な状態になるステップと、を含み、
前記第２のＩＣチップには、前記電子バリューに関する複数のアプリケーションが格納されており、
前記各アプリケーションは、それぞれに定められた時間毎に、使用できない停止状態になり、
前記停止状態となった前記アプリケーションについては、ユーザの認証がなされることで使用できる状態になることを特徴とする移動通信端末の制御方法。
【発明の詳細な説明】
【０００１】
【発明の属する技術分野】
本発明は、携帯電話やＰＨＳ等の移動通信端末及びその制御方法に関するものである。
【０００２】
【従来の技術】
近年、移動通信端末に関する技術は急速に発展しており、ユーザの利便性を向上させるべく端末に様々な機能を持たせる試みがなされている。このような試みの例としては、例えば電子定期券やコンサートチケット等の電子バリュー情報を移動通信端末に格納されることが挙げられる。このような電子バリュー情報を利用することで、ユーザは、移動通信端末を定期券代わりに使用したり、或いは、コンサートチケット代わりに使用することができる。
【０００３】
また、このような電子バリュー情報を利用するにあたっては、安全性を確保するために暗証番号の確認を行うこと等によりユーザの認証手続が行われる。つまり、電子バリューの利用権限があるユーザのみが、電子バリューを利用することができる。
【０００４】
【発明が解決しようとする課題】
ところで、従来の移動通信端末では、上記の電子バリュー情報を格納するメモリと加入者情報を格納するＵＩＭ（User Identification Module）とは同一のＩＣチップに搭載されていた。しかしながら、両者を同一のＩＣチップに搭載すると、例えば移動通信端末に使用上意図していない何らかの衝撃が加えられた場合等は、電子バリューの情報及びＵＩＭに格納された加入者情報の双方が消去されてしまうおそれがあり、情報確保が十分とは言い難かった。
【０００５】
従って、本発明者らには、まず、移動通信端末における加入者情報及び電子バリュー情報の保持性能を向上させる必要が生じた。
【０００６】
更に、本発明者らは、このように情報の保持性能を向上させるように移動通信端末を設計する場合であっても、端末の構成を変更する結果ユーザの利便性が損われることは避けたいため、認証手続が複雑化しないことを重要視した。
【０００７】
本発明は、かかる事情の下でなされたものであり、加入者情報及び電子バリュー情報の保持性能が高く、且つ、ユーザの認証手続が複雑でない移動通信端末及び移動通信端末の制御方法を提供することを課題とする。
【０００８】
【課題を解決するための手段】
（１）上記課題を解決するために、本発明は、基地局との間で通信信号の送受信を行う移動通信端末において、加入者情報が格納されたＵＩＭを有する第１のＩＣチップと、電子バリューに関する情報を格納した第２のＩＣチップと、を備え、前記ＵＩＭは、ユーザの認証を行うと共に当該認証がなされた場合に利用可能になり、前記第２のＩＣチップは、前記ＵＩＭにおいてユーザの認証が行われた場合に、前記電子バリューに関する情報を外部へ出力可能な状態になることを特徴とする。
【０００９】
本発明の移動通信端末によれば、加入者情報と電子バリュー情報とがそれぞれ第１のＩＣチップと第２のＩＣチップに格納されているため、移動通信端末に何らかの衝撃が加えられた場合等であっても、両ＩＣチップが破損・損傷しない限り加入者情報及び電子バリュー情報の双方が消去されることはない。つまり、例えば第２のＩＣチップのみが破損した場合、電子バリュー情報は消去され得るが、破損していない第１のＩＣチップに設けられたＵＩＭの加入者情報は依然保持されたままとなり、情報の保持性能が向上している。
【００１０】
また、第２のＩＣチップは、ＵＩＭにおいてユーザの認証が行われた場合に、電子バリューに関する情報を外部へ出力可能な状態になるため、ユーザは、第２のＩＣチップの利用すなわち電子バリュー情報の利用に際して新たな認証手続を行う必要はない。従って、本発明の移動通信端末は、ユーザ認証手続を複雑化することなく、加入者情報及び電子バリュー情報の保持性能が向上されていることになる。
【００１１】
また、本発明の移動通信端末において、ＵＩＭには、所定の暗証番号が格納されており、ユーザが入力した情報と前記暗証番号が一致した場合に、前記ＵＩＭは、ユーザを認証することように構成してもよい。この場合、ユーザが暗証番号を入力するだけで認証を行えるため、ユーザにとって認証手続が容易である。
【００１２】
また、本発明の移動通信端末において、第２のＩＣチップは、ユーザに対して一定時間毎に認証を要求し、認証の要求がなされた場合は、ユーザの認証がなされるまで前記第２のＩＣチップは前記電子バリュー情報を外部へ出力しないように構成することが好適である。
【００１３】
第２のＩＣチップには、電子バリュー情報が格納されているため、正規のユーザ以外の者が許可なく利用することを防止する必要がある。上記のように、第２のＩＣチップについて一定時間毎に認証を要求することで、盗難等により真正ユーザ以外の者が電子バリューを利用する事態を予防できる。
【００１４】
また、本発明の移動通信端末において、前記第２のＩＣチップは、前記電子バリューに関する情報を出力可能な起動状態になってから所定時間が経過した際に、その情報を出力不能な停止状態になり、前記停止状態になった場合、ユーザの認証がなされることで前記起動状態に移行するように構成してもよい。
【００１５】
この場合は、先の構成のように所定時間毎にユーザへ認証を促すのではなく、単に、第２のＩＣチップが使用できない状態になるだけである。従って、ユーザは、第２のＩＣチップが停止状態になった後、次に電子バリュー情報を利用する必要性が生じるまで、認証要求されるという煩わしさを回避できる。一方、移動通信端末においても、第２のＩＣチップが停止状態になるたびに認証要求を行う必要はないため、消費電力を低減できる。
【００１６】
また、本発明の移動通信端末において、前記第２のＩＣチップには、前記電子バリューに関する複数のアプリケーションが格納されており、前記各アプリケーションは、それぞれに定められた時間毎に、使用できない停止状態になり、前記停止状態となった前記アプリケーションについては、ユーザの認証がなされることで使用できる状態になることが好適である。
【００１７】
電子バリューを利用するアプリケーションとしては、様々なものが考えられるが、その内容に応じて電子バリューの価値は異なる。上記のように、アプリケーション毎に停止状態となる時間間隔を定めておくことで、そのアプリケーションに要する電子バリューの価値に応じた認証手続を実現できる。
【００１８】
例えば、価値の小さな電子バリューを利用するアプリケーションについては、停止状態となる時間間隔を比較的長時間とし、価値の大きな電子バリューを利用するアプリケーションについては、停止状態となる時間間隔を比較的短時間とすることが好適である。このようにすれば、前者については、ユーザの余分な認証の手間を省けるとともに、後者については、高価な電子バリューの他人による不正利用をより確実に防止できる。
【００１９】
（２）更に、本発明に係る他の移動通信端末は、基地局との間で通信信号の送受信を行う移動通信端末において、加入者情報が格納されたＵＩＭを有する第１のＩＣチップと、電子バリューに関する情報を格納した第２のＩＣチップと、を備え、１つの真正な暗証番号が入力されることで、前記第１のＩＣチップと前記第２のＩＣチップの双方が利用可能な状態となることを特徴とする。
【００２０】
本発明の移動通信端末によれば、加入者情報と電子バリュー情報とがそれぞれ第１のＩＣチップと第２のＩＣチップに格納されているため、移動通信端末に何らかの衝撃が加えられた場合等であっても、両ＩＣチップが破損・損傷しない限り加入者情報及び電子バリュー情報の双方が消去されることはない。つまり、例えば第２のＩＣチップのみが破損した場合、電子バリュー情報は消去され得るが、破損していない第１のＩＣチップに設けられたＵＩＭの加入者情報は依然保持されたままとなり、情報の保持性能が向上している。
【００２１】
また、１つの真正な暗証番号が入力されることで、第１のＩＣチップと第２のＩＣチップの双方が利用可能な状態となるため、ユーザは、各ＩＣチップの利用に際して別個の認証手続を行う必要はない。従って、本発明の移動通信端末は、ユーザ認証手続を複雑化することなく、加入者情報及び電子バリュー情報の保持性能が向上されている。
【００２２】
（３）本発明に係る移動通信端末の制御方法は、基地局との間で通信信号の送受信を行う移動通信端末の制御方法において、前記移動通信端末は、加入者情報が格納されたＵＩＭを有する第１のＩＣチップと、電子バリューに関する情報を格納した第２のＩＣチップと、を備え、前記ＵＩＭがユーザの認証を行うステップと、前記ユーザの認証がなされることで前記ＵＩＭが利用可能になるステップと、前記ＵＩＭにおいてユーザの認証が行われた場合に、前記第２のＩＣチップが、前記電子バリューに関する情報を外部へ出力可能な状態になるステップと、を含むことを特徴とする。
【００２３】
このような移動通信端末の制御方法によれば、上記の移動通信端末の説明で述べたように、ユーザ認証手続を複雑化することなく、加入者情報及び電子バリュー情報の保持性能が向上することができる。
【００２４】
また、本発明の移動通信端末の制御方法において、前記第２のＩＣチップは、ユーザに対して一定時間毎に認証を要求し、前記認証の要求がなされた場合は、ユーザの認証がなされるまで前記第２のＩＣチップは前記電子バリューに関する情報を外部へ出力しないことが好ましい。
【００２５】
このように、第２のＩＣチップについて一定時間毎に認証を要求することで、盗難等により真正ユーザ以外の者が電子バリューを利用する事態を予防できる。
【００２６】
また、本発明の移動通信端末の制御方法において、前記第２のＩＣチップは、前記電子バリューに関する情報を出力可能な起動状態になってから所定時間が経過した際に、その情報を出力不能な停止状態になり、前記停止状態になった場合、ユーザの認証がなされることで前記起動状態に移行するようにしてもよい。
【００２７】
この場合は、先のように所定時間毎にユーザへ認証を促すのではなく、単に、第２のＩＣチップが使用できない状態になるだけである。従って、ユーザは、第２のＩＣチップが停止状態になった後、次に電子バリュー情報を利用する必要性が生じるまで、認証要求されるという煩わしさを回避できる。一方、移動通信端末においても、第２のＩＣチップが停止状態になるたびに認証要求を行う必要はないため、消費電力を低減できる。
【００２８】
更に、本発明の移動通信端末の制御方法において、前記第２のＩＣチップには、前記電子バリューに関する複数のアプリケーションが格納されており、前記各アプリケーションは、それぞれに定められた時間毎に、使用できない停止状態になり、前記停止状態となった前記アプリケーションについては、ユーザの認証がなされることで使用できる状態になることが好適である。
【００２９】
このように、アプリケーション毎に停止状態となる時間間隔を定めておくことで、そのアプリケーションに要する電子バリューの価値に応じた認証手続を実現できる。
【００３０】
【発明の実施の形態】
以下、添付図面を参照して、本発明に係る移動通信端末及び移動通信端末の制御方法の好適な実施形態について詳細に説明する。尚、同一要素には同一符号を用いるものとし、重複する説明は省略する。
【００３１】
図１は、本実施形態の移動通信端末１を示す概略構成図であり、図２は、移動通信端末１の斜視図である。移動通信端末１は、図示を省略する基地局との間で通信信号の送受信を行うものであって、金銭的価値を有する電子バリューを扱うアプリケーションも実行できるように構成されている。
【００３２】
移動通信端末１には、携帯電話としての基本機能を実行するためのＯＳ（Operating System）と、電子バリュー情報を利用するアプリケーションを実行させるためのＯＳとが記憶されている。前者の基本機能に関するＯＳはメモリ１１に記憶され、後者の電子バリューに関するＯＳはメモリ２１に記憶されている。また、移動通信端末１には、電気的に接続された２つのＩＣチップが内蔵されており、メモリ１１は第１のＩＣチップ１０に搭載され、メモリ２１は第２のＩＣチップ２０に搭載されている。
【００３３】
尚、移動通信端末１の電源投入により第１のＩＣチップ１０のＯＳは起動するが、第２のＩＣチップ２０のＯＳについては電源投入だけでは起動しないようにされている。第２のＩＣチップ２０のＯＳが起動する過程については後述する。
【００３４】
第１のＩＣチップ１０には、メモリ１１の他、加入者情報が格納されたＵＩＭ（User Identification Module）１２、無線部１５、及び画像処理部１６等が搭載されている。
【００３５】
ＵＩＭ１２には、加入者の電話番号や認証手続に利用する暗証番号等の加入者情報が格納された加入者情報メモリ１３と、ＵＩＭ１２の制御を統括する制御部１４と、が備えられている。認証手続に利用する暗証番号は、一般的にＰＩＮ（Personal Identification Number）と称されるものである。ＵＩＭ１２は、ユーザが正しいＰＩＮを入力して認証されることで、加入者情報メモリ１３内の情報を利用できる状態になる。
【００３６】
無線部１５は、アンテナ７０との間で信号の送受信を行うと共に、通話を確立するために、信号の変復調、マイクロホン５０から入力された音声信号の符号化、スピーカ４０から音声を出力させるための受信信号の複合化等、公知の様々な機能を実現する。画像処理部１６は、メモリ１１のＯＳの指示に従ってディスプレイ６０の表示画面を制御する。
【００３７】
メモリ１１のＯＳには、端末ステータス管理部１７が設けられている。この端末ステータス管理部１７は、ＵＩＭ１２の加入者情報を利用できる状態にあるか否か、及び、第２のＩＣチップ２０のＯＳが起動しているか否かを管理すると共に、第２のＩＣチップ２０のＯＳを起動させる作業を担う。
【００３８】
図３に、端末ステータス管理部１７で管理されるデータを示す。同図では、ＵＩＭ１２のステータス及び第２ＩＣチップ２０のステータスのいずれもが“Ａｃｔｉｖｅ”となっており、加入者情報及び電子バリュー情報の双方を利用できる状態にある。尚、各情報を利用できない状態にある場合は、ステータスは、“Ｎｏｎ−Ａｃｔｉｖｅ”となる。ＵＩＭ１２の加入者情報を利用できない状態では、通話や電子メール等の移動通信端末１の各種機能を実行することはできない。一方、第２のＩＣチップ２０のＯＳが起動していない場合は、後述の電子バリュー情報を扱うアプリケーションを実行できないことになる。
【００３９】
再び図１を参照すると、第２のＩＣチップ２０には、それ専用のＯＳが記憶された上記のメモリ２１の他、外部のリードライタ等と電子バリュー情報の送受信を行う外部インターフェース２２が設けられている。外部インターフェース２２は、ＩｒＤＡやブルートゥース等に対応したものとすることが可能である。
【００４０】
メモリ２１のＯＳには、第２ＩＣチップステータス管理部２３及びアプリケーション管理部２４が設けられている。アプリケーション管理部２４には、電子バリュー情報を扱う１又は複数のアプリケーションが格納されている。アプリケーションは、移動通信端末１がユーザに受け渡される前にインストールしておいてもよいし、インターネット等を利用してユーザ自らがインストールしてもよい。本実施形態では、電子バリューとして電子マネーを利用したアプリケーション１、コンサートチケットを利用したアプリケーション２、及び電子定期券を利用したアプリケーション３の３種類が格納されているものとする。
【００４１】
また、電源投入後、第２のＩＣチップ２０のＯＳは、ＵＩＭ１２でユーザの認証がなされた場合に起動するように構成されている。つまり、第２のＩＣチップ２０は、ＵＩＭ１２における認証手続の結果に従って起動することになる。また、ＯＳが起動した後、第２ＩＣチップステータス管理部２３は、一定時間毎にユーザに対して認証を要求する。更に、第２ＩＣチップステータス管理部２３は、アプリケーション管理部２４に格納されたアプリケーション１〜３を、それぞれに定められた時間毎に、使用できない停止状態とする。停止状態となったアプリケーションは、ユーザが認証されることで再び使用できる起動状態となる。
【００４２】
図４に、第２ＩＣチップステータス管理部２３で管理されるデータを示す。第２ＩＣチップステータス管理部２３は、第２のＩＣチップ２０のＯＳが起動しているか否か、及び、各アプリケーション１〜３を使用できる状態にあるか否かを管理すると共に、第２のＩＣチップ２０全体及び各アプリケーション１〜３の認証の時間間隔（認証スパン）を記憶している。第２のＩＣチップ２０のステータスを示す“Ａｃｔｉｖｅ”は、第２のＩＣチップ２０が電子バリュー情報を第２のＩＣチップ２０の外部に出力できる状態にあることを示し、各アプリケーションのステータスを示す“Ａｃｔｉｖｅ”は、そのアプリケーションが使用できる状態にあることを示す。
【００４３】
尚、本実施形態では、それぞれに定められた時間が経過した場合に、第２のＩＣチップ２０についてはユーザに認証を求めるディスプレイ表示がなされるが、各アプリケーションについては、停止状態になってもそのたびに認証要求のディスプレイ表示をするわけではない。図４では、このように停止状態になる時間間隔をも認証スパンと称している。また、停止状態となったアプリケーションを使用しようとした段階ではじめてユーザに認証要求がなされる。
【００４４】
同図に示すように、第２のＩＣチップ２０の認証スパンは１週間、価値が大きくなり得る電子マネーを扱うアプリケーション１の認証スパンは５秒、価値がさほど大きくない或いは価値がさほど変動しないコンサートチケットを扱うアプリケーション２の認証スパンは１５分、比較的頻繁に使用される定期券を扱うアプリケーション３の認証スパンは１週間とされている。このように、アプリケーション毎に認証スパンを定めることで、そのアプリケーションの電子バリューの価値に応じた認証手続を実現できる。
【００４５】
尚、アプリケーション３の認証スパンは、第２のＩＣチップ２０の認証スパンと同一になっているため、第２のＩＣチップ２０と一括で認証手続を行ってもよい。すなわち、前回の認証から１週間経過した際にユーザが認証手続を行い、真正ユーザと認められればアプリケーション３も自動的に利用できるようにするのである。これにより、ユーザは、アプリケーション３についてわざわざ認証手続を行う手間が省ける。
【００４６】
以上が本実施形態の移動通信端末１の構成である。次に、図５のフローチャートを参照して、移動通信端末１の初期動作に関する制御を説明する。
【００４７】
まず、ステップ１０１（以下、ステップを「Ｓ」と略す）において、ユーザが移動通信端末１の入力部３０の電源キーを押すことで、移動通信端末１の電源が投入される。電源が投入されると、移動通信端末１の第１のＩＣチップ１０に搭載されたメモリ１１のＯＳが起動する。この段階では、ＵＩＭ１２の加入者情報を読み出すことはできず、また、第２のＩＣチップ２０のＯＳは起動していない。従って、図３に示した端末ステータス管理部１７の管理データは、ＵＩＭ及び第２のＩＣチップのいずれもが“Ｎｏｎ−Ａｃｔｉｖｅ”になっている。
【００４８】
起動したＯＳは、画像処理部１６を制御してディスプレイ６０に認証要求の画面を表示させる（Ｓ１０３）。この認証要求は、ユーザに例えば数桁のアルファベット又は数字からなるＰＩＮを入力させるものである。
【００４９】
ディスプレイ６０の認証要求を見たユーザは、入力部３０を操作してＰＩＮを入力する。次いで、メモリ１１のＯＳは、ユーザが入力したＰＩＮの情報をＵＩＭ１２に送信する。ＰＩＮ情報を受信したＵＩＭ１２は、ユーザの認証手続を行う（Ｓ１０４）。認証手続では、ＵＩＭ１２は、加入者情報メモリ１３に格納されたＰＩＮ情報と、ユーザが入力したＰＩＮ情報とが一致するか否かを判断する（Ｓ１０５）。
【００５０】
そして、ユーザが入力したＰＩＮが正しい場合は、ＵＩＭ１２はユーザを真正な者として認証し、ＵＩＭ１２の加入者情報が利用可能な状態になる（Ｓ１０６）。これにより、移動通信端末１では、通話やメール等の基本機能を実行できるようになる。この段階では、図３に示した端末ステータス管理部１７の管理データは、ＵＩＭについては“Ａｃｔｉｖｅ”になり、第２のＩＣチップについては依然“Ｎｏｎ−Ａｃｔｉｖｅ”のままである。
【００５１】
一方、ユーザが誤ったＰＩＮを入力した場合は、Ｓ１０３にリターンし、メモリ１１のＯＳはユーザに対して再び認証要求を行う。Ｓ１０３〜Ｓ１０５の動作は、ユーザが正しいＰＩＮを入力するまで繰り返されることになる。尚、ユーザが所定の回数誤ったＰＩＮを入力した場合は、ＵＩＭ１２での認証を実行できなくなるようにし、移動通信端末１の盗難時の被害予防を図ってもよい。このような構成を採った場合、所定の回数認証に失敗したユーザは、移動通信端末の販売店等でＵＩＭ１２の加入者情報メモリ１３に新規なＰＩＮを記憶させる。
【００５２】
Ｓ１０５において、ＵＩＭ１２でユーザの認証がなされた後、メモリ１１の端末ステータス管理部１７は、第２のＩＣチップ２０に搭載されたメモリ２１のＯＳを起動させる（Ｓ１０７）。つまり、メモリ１１のＯＳは、電源投入時の起動についてはＵＩＭ１２と異なる認証手続を要せず、ＵＩＭ１２の認証結果に従うことになる。このＯＳが起動すると、第２のＩＣチップ２０から電子バリュー情報を外部へ出力できる状態になると共に、各アプリケーション１〜３が使用できる状態になる（Ｓ１０８）。この段階では、図３に示す第２のＩＣチップのステータスが“Ａｃｔｉｖｅ”になり、図４に示す各ステータスについてはすべて“Ａｃｔｉｖｅ”になっている。
【００５３】
以上が移動通信端末１の電源投入時の初期動作である。次いで、図６を参照して、電子バリューを利用する際の移動通信端末１の制御方法を説明する。ここでは、電子バリューとしてコンサートチケットを利用する場合を説明する。
【００５４】
コンサート会場を訪れたユーザが、入場ゲートに設置されたリードライタに移動通信端末１の外部インターフェース２２を向けると、該リードライタから発信されている電子バリュー情報の読取り要求を外部インターフェース２２で受信する（Ｓ２０１）。
【００５５】
上記要求を受信した移動通信端末１では、第２のＩＣチップ２０のＯＳの制御下で、メモリ２１に格納された第２ＩＣチップステータス管理部２３の管理データに基づいて、コンサートチケットに対応するアプリケーション２が使用できる状態にあるか否かを判断する（Ｓ２０２）。
【００５６】
移動通信端末１の電源投入直後は、アプリケーション２のステータスは“Ａｃｔｉｖｅ”になっており、そのままＳ２０６に進んで電子バリュー情報をリードライタに送信する手順に入る。ところが、上記のようにアプリケーション２は、停止状態となる認証スパンは１５分となっている。つまり、電源が投入されて第２のＩＣチップ２０のＯＳが起動してから１５分経過すると、アプリケーション２は使用できない状態になる。そして、Ｓ２０２の時点で、このようにアプリケーション２が停止状態になっている場合（ステータスは“Ｎｏｎ−Ａｃｔｉｖｅ”）は、Ｓ２０３に進み、ユーザに対して認証要求する（Ｓ２０３）。認証要求は、第２のＩＣチップ２０のＯＳが第１のＩＣチップ１０のＯＳを通じて画像処理部１６を制御し、ディスプレイ６０にＰＩＮの入力を促す表示をすることで行われる。
【００５７】
認証手続は、図５のＳ１０３〜Ｓ１０５と同様の手順で行われる。すなわち、ユーザが入力したＰＩＮに基づいてＵＩＭ１２が認証手続を行い（Ｓ２０４）、そのＰＩＮが正しい場合はユーザが認証されたとしてＳ２０６に進む（Ｓ２０５）。Ｓ２０６では、認証されたアプリケーション２のステータスを“Ａｃｔｉｖｅ”に更新する（Ｓ２０６）。
【００５８】
尚、ここではアプリケーションの認証スパンについて説明したが、第２のＩＣチップ２０そのものについても、所定時間（本実施形態では１週間）毎にユーザの認証が必要となる。認証の要求がなされた場合は、ユーザの認証がなされるまで第２のＩＣチップ２０は電子バリュー情報を外部へ出力できない。また、認証スパンだけ時間が経過したアプリケーションについては、その都度、ユーザに認証要求されるわけではないが、第２のＩＣチップ２０については、認証スパンが経過する度に認証要求するようになっている。これにより、盗難等により真正ユーザ以外の者が電子バリューを利用する事態を予防できる。
【００５９】
次に、Ｓ２０７以降の説明をする。アプリケーション２が使用できる状態になると、メモリ２１のＯＳは、アプリケーション管理部２４に記憶されたコンサートチケットの電子バリュー情報を電子キーで暗号化した後（Ｓ２０７）、該電子バリュー情報を入場ゲートのリードライタに送信する（Ｓ２０８）。この電子バリュー情報を受信したリードライタでは該情報を複合化して検証し、真正なコンサートチケットに相当すると判断された場合は、入場ゲートが開いてユーザがコンサート会場へ入場することができる。
【００６０】
本実施形態の移動通信端末１によれば、次のような効果が得られる。すなわち、加入者情報と電子バリュー情報とがそれぞれ第１のＩＣチップ１０と第２のＩＣチップ２０に格納されているため、移動通信端末１に何らかの衝撃が加えられた場合等であっても、両ＩＣチップが破損・損傷しない限り加入者情報及び電子バリュー情報の双方が消去されることはない。つまり、例えば第１のＩＣチップ１０のみが破損した場合、ＵＩＭ１２の加入者情報は消去され得るが、破損していない第２のＩＣチップ２０に設けられた電子バリュー情報は依然保持されたままとなり、情報の保持性能が向上している。
【００６１】
また、第２のＩＣチップ２０は、図５のＳ１０２においてＵＩＭ１２でユーザの認証が行われた場合に、電子バリューに関する情報を外部へ出力可能な状態になるため、ユーザは、第２のＩＣチップ２０の利用すなわち電子バリュー情報の利用に際して新たな認証手続を行う必要はない。従って、移動通信端末１は、ユーザ認証手続を複雑化することなく、加入者情報及び電子バリュー情報の保持性能が向上されている。
【００６２】
尚、本実施形態では、第２のＩＣチップ２０に関する認証スパン（１週間）が経過した時点で、ユーザに対して認証要求するように設定されているが、認証スパンが経過した時点では第２のＩＣチップ２０から電子バリュー情報を出力できない停止状態にするにとどめ、この時点では認証要求を行わないように設定してもよい。この設定の場合、ユーザは、電子バリュー情報を利用する際に認証手続を行えばよい。従って、このような設定にすれば、ユーザは、第２のＩＣチップ２０が停止状態になった後、次に電子バリュー情報を利用する必要性が生じるまで、認証要求されるという煩わしさを回避できる。一方、移動通信端末１においても、第２のＩＣチップ２０が停止状態になるたびに認証要求を行う必要はないため、消費電力を低減できる。
【００６３】
以上、本発明者らによってなされた発明を実施形態に基づき具体的に説明したが、本発明は上記実施形態に限定されるものではない。例えば、ユーザが暗証番号を入力した場合に、移動通信端末内の何処で認証を行ってもよいこととし（例えばメモリ１１のＯＳ）、その上で、ユーザが認証された場合に、第１のＩＣチップと第２のＩＣチップの双方が利用可能な状態、つまり、ＵＩＭの加入者情報と第２のＩＣチップの電子バリュー情報の双方が利用できる状態になるようにしてもよい。
【００６４】
また、本発明でいうＵＩＭとは、加入者を特定する情報を記憶したものであればよく、製品名称がＵＩＭでなくても（例えばＳＩＭ）、このように加入者情報を記憶したものは本発明のＵＩＭに含まれる。
【００６５】
【発明の効果】
以上説明したように、本発明に係る移動通信端末及びその制御方法によれば、加入者情報及び電子バリュー情報の保持性能を高くすると共に、ユーザの認証手続の複雑化を防止することができる。
【図面の簡単な説明】
【図１】本発明に係る移動通信端末の一実施形態を示す概略構成図である。
【図２】図１に示す移動通信端末の斜視図である。
【図３】端末ステータス管理部に格納された管理データを示す図である。
【図４】第２ＩＣチップステータス管理部に格納された管理データを示す図である。
【図５】移動通信端末の電源投入時の初期動作を示すフローチャートである。
【図６】電子バリューを利用する際の移動通信端末の制御方法を示すフローチャートである。
【符号の説明】
１…移動通信端末、１０…第１のＩＣチップ、１１…メモリ、１２…ＵＩＭ、１３…加入者情報メモリ、１４…制御部、１５…無線部、１６…画像処理部、１７…端末ステータス管理部、２０…第２のＩＣチップ、２１…メモリ、２２…外部インターフェース、２３…第２ＩＣチップステータス管理部、２４…アプリケーション管理部、３０…入力部、４０…スピーカ、５０…マイクロホン、６０…ディスプレイ、７０…アンテナ。
【図１】
0003887561.tif 000002
【図２】
0003887561.tif 000003
【図３】
0003887561.tif 000004
【図４】
0003887561.tif 000005
【図５】
0003887561.tif 000006
【図６】
0003887561.tif 000007